(57)【要約】【課題】本発明の課題は、室外熱交換器への着霜の有無を検知して不要な除霜運転を防止することができる、冷凍装置の室外ユニットを提供することにある。【解決手段】室外ユニット３０では、室外熱交換器３３への着霜が始まると空気の室外熱交換器を通過する際の通風抵抗が増加するので、第１空気流路ＦＡ１の空気流量が減少し、その減少分だけ第２空気流路ＦＡ２の空気流量が増加する。  その結果、加湿ロータ６３を通過する空気流量が増加するので、加湿ロータ６３に吸着される水分量が増加し、その分だけ加湿ロータ６３から放出される水分量も増加する。そのため、湿度センサ５５が置かれた雰囲気に含まれる水分が増加する。したがって、湿度センサ５５の検出値の増大によって室外熱交換器３３への着霜の有無を検出することができ、その結果、不要な除霜運転を防止することができる。【選択図】図２
2016118311.tif 000002
【特許請求の範囲】
【請求項１】
蒸気圧縮式冷凍サイクルを利用する冷凍装置の室外ユニットであって、
制御部（５１）と、
外郭を形成する本体ケーシング（４０）と、
前記本体ケーシング（４０）に収納される室外熱交換器（３３）と、
前記本体ケーシング（４０）に収納され、前記室外熱交換器（３３）を通過する空気流を生成する室外ファン（３９）と、
を備え、
前記本体ケーシング（４０）には、
空気が前記室外熱交換器（３３）を通過して前記室外ファン（３９）の吸込側に向かう第１空気流路と、
空気が前記室外熱交換器（３３）を通らずに前記室外ファン（３９）の吸込側に向かう第２空気流路と、
が形成されており、
前記第２空気流路の内又は外に、前記第２空気流路を流れる空気の流量の増加を直接的又は間接的に検出する検出手段（５５）が配備され、
前記制御部（５１）は、前記第２空気流路を流れる空気の流量の増加量に基づいて、前記室外熱交換器（３３）への着霜の有無を判定する、
冷凍装置の室外ユニット。
【請求項２】
空気中の水分を吸着した後、加熱されることで吸着した前記水分を放出する吸着部材（６３）を有する加湿ユニット（６０）をさらに備え、
前記第２空気流路が、空気を前記吸着部材（６３）に導く流路である、
請求項１に記載の冷凍装置の室外ユニット。
【請求項３】
前記加湿ユニット（６０）は、前記吸着部材（６３）から放出された前記水分を含む加湿空気の湿度を検出する湿度センサ（５５）をさらに有する、
請求項２に記載の冷凍装置の室外ユニット。
【請求項４】
前記加湿ユニット（６０）は、前記吸着部材（６３）を加熱するヒータ（７１）と、
前記ヒータ（７１）によって加熱されて前記吸着部材（６３）から放出された前記水分を含む加湿空気の温度を検出する温度センサ（５７）をさらに有する、
請求項２に記載の冷凍装置の室外ユニット。
【請求項５】
前記室外ファン（３９）を含む機器を制御する電装品を収容する電装品ユニット（５０）をさらに備え、
前記第２空気流路は、空気を前記電装品に導く進入路と、前記電装品を通過した前記空気を前記室外ファン（３９）の吸込側に向かわせる退出路とを含み、
前記退出路に、前記空気の温度を検出する温度センサが設けられている、
請求項１に記載の冷凍装置のユニット。
【発明の詳細な説明】
【技術分野】
【０００１】
本発明は、冷凍装置の室外ユニットに関し、特に加湿機能を有する冷凍装置の室外ユニットに関する。
【背景技術】
【０００２】
冷凍装置の室外ユニットでは、一般に室外熱交換器への着霜を検知するセンサは搭載されておらず、例えば特許文献１（特開２０１３−１３０３４１号公報）に開示されているように、暖房運転が所定時間継続され、外気温が所定温度を下回ったときに室外熱交換器への着霜が生じていると推定され、除霜運転が開始される。
【発明の概要】
【発明が解決しようとする課題】
【０００３】
そのため、実際に着霜していない状態でも暖房運転を止めて除霜運転をするので、除霜運転中は使用者に暖房を提供できなくなる。
【０００４】
本発明の課題は、室外熱交換器への着霜が生じているときに起こる特有の事象から室外熱交換器への着霜の有無を検知して不要な除霜運転を防止することができる、冷凍装置の室外ユニットを提供することにある。
【課題を解決するための手段】
【０００５】
本発明の第１観点に係る冷凍装置の室外ユニットは、蒸気圧縮式冷凍サイクルを利用する冷凍装置の室外ユニットであって、制御部と、外郭を形成する本体ケーシングと、本体ケーシングに収納される室外熱交換器と、室外ファンとを備えている。室外ファンは、本体ケーシングに収納され、室外熱交換器を通過する空気流を生成する。本体ケーシングには、第１空気流路と第２空気流路とが形成されている。第１空気流路では、空気が室外熱交換器を通過して室外ファンの吸込側に向かう。第２空気流路では、空気が室外熱交換器を通らずに室外ファンの吸込側に向かう。また、第２空気流路の内又は外に、第２空気流路を流れる空気の流量の増加を直接的又は間接的に検出する検出手段が配備されている。制御部は、第２空気流路を流れる空気の流量の増加量に基づいて、室外熱交換器への着霜の有無を判定する。
【０００６】
この冷凍装置の室外ユニットでは、室外熱交換器への着霜が始まると空気の室外熱交換器を通過する際の通風抵抗が増加するので、第１空気流路の空気流量が減少する。本体ケーシング内に取り込むべき空気量に変化がないと想定すると、第１空気流路の空気流量の減少分だけ、第２空気流路の空気流量が増加する。したがって、第２空気流路の空気流量の増加量から室外熱交換器への着霜の有無を検出することができ、不要な除霜運転を防止することができる。
【０００７】
本発明の第２観点に係る冷凍装置の室外ユニットは、第１観点に係る冷凍装置の室外ユニットであって、加湿ユニットをさらに備えている。加湿ユニットは、空気中の水分を吸着した後、加熱されることで吸着した水分を放出する吸着部材を有している。第２空気流路は、空気を吸着部材に導く流路である。
【０００８】
この冷凍装置の室外ユニットでは、室外熱交換器への着霜が始まると、吸着部材を通過する空気流量が増加するので、その増加量から室外熱交換器への着霜の有無を検出することができ、不要な除霜運転を防止することができる。
【０００９】
本発明の第３観点に係る冷凍装置の室外ユニットは、第２観点に係る冷凍装置の室外ユニットであって、湿度センサをさらに有している。湿度センサは、加湿ユニットが吸着部材から放出された水分を含む加湿空気の湿度を検出する。
【００１０】
この冷凍装置の室外ユニットでは、室外熱交換器への着霜が始まると、吸着部材を通過する空気流量が増加するので、吸着部材に吸着される水分量が増加し、その分だけ吸着部材から放出される水分量も増加する。そのため、湿度センサが置かれた雰囲気に含まれる水分が増加する。したがって、湿度センサの検出値の増大によって室外熱交換器への着霜の有無を検出することができ、その結果、不要な除霜運転を防止することができる。
【００１１】
本発明の第４観点に係る冷凍装置の室外ユニットは、第２観点に係る冷凍装置の室外ユニットであって、加湿ユニットが、吸着部材を加熱するヒータと、温度センサとをさらに有している。温度センサは、ヒータによって加熱されて吸着部材から放出された水分を含む加湿空気の温度を検出する。
【００１２】
この冷凍装置の室外ユニットでは、室外熱交換器への着霜が始まると、吸着部材を通過する空気流量が増加するので、その分だけ吸着部材に吸着される水分量も増加する。水分を吸着した吸着部材はヒータによって加熱されることによってその水分を放出する。ヒータの熱量は、水分の潜熱分と水分を含んだ空気の顕熱上昇分に費やされる。吸着部材に吸着された水分量が多いほどヒータの熱量が水分の潜熱に費やされ、水分を含んだ空気の顕熱上昇に費やされる熱量が減る。そのため、温度センサの検出値は、水分吸着量が増加する前と比べて低くなる。
【００１３】
したがって、温度センサの検出値の低下によって室外熱交換器への着霜の有無を検出することができ、その結果、不要な除霜運転を防止することができる。
【００１４】
本発明の第５観点に係る冷凍装置の室外ユニットは、第１観点に係る冷凍装置の室外ユニットであって、電装品ユニットをさらに備えている。電装品ユニットは、室外ファンを含む機器を制御する電装品を収容する。第２空気流路は、空気を電装品に導く進入路と、電装品を通過した空気を室外ファンの吸込側に向かわせる退出路とを含み、退出路に空気の温度を検出する温度センサが設けられている。
【００１５】
この冷凍装置の室外ユニットでは、本体ケーシング内に流入する空気の一部は室外熱交換器を通過せずに電装品ユニット内を通り、発熱する電装品と熱交換して温度上昇する。
【００１６】
室外熱交換器への着霜が始まると、電装品ユニット内を通る空気流量が増加するので、発熱する電装品と熱交換しても、その温度上昇幅は空気流量が増加する前と比べて小さい。つまり、温度センサの検出値は、室外熱交換器への着霜が始まる前と比べて低くなる。
【００１７】
したがって、温度センサの検出値の低下によって室外熱交換器への着霜の有無を検出することができ、その結果、不要な除霜運転を防止することができる。
【発明の効果】
【００１８】
本発明の第１観点に係る冷凍装置の室外ユニットでは、室外熱交換器への着霜が始まると空気の室外熱交換器を通過する際の通風抵抗が増加するので、第１空気流路の空気流量が減少する。本体ケーシング内に取り込むべき空気量に変化がないと想定すると、第１空気流路の空気流量の減少分だけ、第２空気流路の空気流量が増加する。したがって、第２空気流路の空気流量の増加量から室外熱交換器への着霜の有無を検出することができ、不要な除霜運転を防止することができる。
【００１９】
本発明の第２観点に係る冷凍装置の室外ユニットでは、室外熱交換器への着霜が始まると、吸着部材を通過する空気流量が増加するので、その増加量から室外熱交換器への着霜の有無を検出することができ、不要な除霜運転を防止することができる。
【００２０】
本発明の第３観点に係る冷凍装置の室外ユニットでは、室外熱交換器への着霜が始まると、吸着部材を通過する空気流量が増加するので、吸着部材に吸着される水分量が増加し、その分だけ吸着部材から放出される水分量も増加する。そのため、湿度センサが置かれた雰囲気に含まれる水分が増加する。したがって、湿度センサの検出値の増大によって室外熱交換器への着霜の有無を検出することができ、その結果、不要な除霜運転を防止することができる。
【００２１】
本発明の第４観点に係る冷凍装置の室外ユニットでは、室外熱交換器への着霜が始まると、吸着部材を通過する空気流量が増加するので、その分だけ吸着部材に吸着される水分量も増加する。水分を吸着した吸着部材はヒータによって加熱されることによって水分を放出する。ヒータの熱量は、水分の潜熱分と水分を含んだ空気の顕熱上昇分に費やされる。吸着部材に吸着された水分量が多いほどヒータの熱量が水分の潜熱に費やされ、水分を含んだ空気の顕熱上昇に費やされる熱量が減る。そのため、温度センサの検出値は、水分吸着量が増加する前と比べて低くなる。
【００２２】
したがって、温度センサの検出値の低下によって室外熱交換器への着霜の有無を検出することができ、その結果、不要な除霜運転を防止することができる。
【００２３】
本発明の第５観点に係る冷凍装置の室外ユニットでは、本体ケーシング内に流入する空気の一部は室外熱交換器を通過せずに電装品ユニット内を通り、発熱する電装品と熱交換して温度上昇する。
【００２４】
室外熱交換器への着霜が始まると、電装品ユニット内を通る空気流量が増加するので、発熱する電装品と熱交換しても、その温度上昇幅は空気流量が増加する前と比べて小さい。つまり、温度センサの検出値は、室外熱交換器への着霜が始まる前と比べて低くなる。
【００２５】
したがって、温度センサの検出値の低下によって室外熱交換器への着霜の有無を検出することができ、その結果、不要な除霜運転を防止することができる。
【図面の簡単な説明】
【００２６】
【図１】本発明の第１実施形態に係る室外機を備えた冷凍装置の構成図。
【図２】天板が取り外された状態の室外ユニットの平面図。
【図３】前板から防護グリルが取り外された状態の室外ユニットの正面図。
【図４】加湿ロータ及び加湿ロータを通過する空気の流れを示す斜視図。
【図５】ヒータを取り外した状態の加湿ユニットの斜視図。
【図６】室外熱交換器への着霜の開始前後における「室外熱交換器への着霜量」、「第１空気流路の空気流量」、「第２空気流路の空気流量」、「湿度センサの検出値」の変化を表したグラフ。
【図７】制御部による室外熱交換器への着霜有無の判定制御の流れを示すフローチャート。
【図８】変形例に関し、室外熱交換器への着霜の開始前後における「室外熱交換器への着霜量」、「第１空気流路の空気流量」、「第２空気流路の空気流量」、「湿度センサの検出値」の変化を表したグラフ。
【図９】変形例における制御部による室外熱交換器への着霜有無の判定制御の流れを示すフローチャート。
【図１０】第２実施形態に関し、室外熱交換器への着霜の開始前後のおける「室外熱交換器への着霜量」、「第１空気流路の空気流量」、「第２空気流路の空気流量」、「温度センサの検出値」の変化を表したグラフ
【図１１】第２実施形態における制御部による室外熱交換器への着霜有無の判定制御の流れを示すフローチャート。
【図１２】、第２実施形態の変形例に関し、室外熱交換器への着霜の開始前後における「室外熱交換器への着霜量」、「第１空気流路の空気流量」、「第２空気流路の空気流量」、「温度センサの検出値」の変化を表したグラフ。
【図１３】第２実施形態の変形例における制御部による室外熱交換器への着霜有無の判定制御の流れを示すフローチャート。
【発明を実施するための形態】
【００２７】
以下、図面を参照しながら、本発明の実施形態について説明する。なお、以下の実施形態は、本発明の具体例であって、本発明の技術的範囲を限定するものではない。
【００２８】
＜第１実施形態＞
（１）空調機１０の構成の概要
図１は、本発明の一実施形態に係る室外ユニット３０を備えた冷凍装置の構成図である。図１において、冷凍装置は、室内ユニット２０と、室外ユニット３０と、それらを接続する冷媒連絡配管１４，１６を備えた空調機１０である。空調機１０は、冷房運転、暖房運転、除湿運転、加湿運転、及び給気運転などの複数の運転モードを持っており、これらの運転モードを適宜組み合わせることもできる。
【００２９】
室内ユニット２０には室内熱交換器２１が設けられ、室外ユニット３０には圧縮機３１、四路切換弁３２、室外熱交換器３３、電動膨張弁３４、アキュムレータ３６、液側閉鎖弁３７及びガス側閉鎖弁３８が設けられている。
【００３０】
また、加湿運転、及び給気運転では、室内に外気を供給するため、給気ホース１８を通して室内ユニット２０と室外ユニット３０との間で空気の移動がある。特に、加湿運転では、水分を多く含んだ湿度の高い空気を室外ユニット３０から室内ユニット２０に供給するため室外ユニット３０において外気から水分を取り込む。
【００３１】
本実施形態では、加湿ユニット６０が室外ユニット３０内に設けられており、加湿ユニット６０が外気から水分を取り込む機能を有している。
【００３２】
（２）室内ユニット２０の構成
室内ユニット２０には、図１に示すようにモータで駆動される室内ファン２２が室内熱交換器２１の下流側に設けられている。室内ファン２２は、クロスフローファンである。室内ファン２２が駆動されると、室内ユニット２０上部の吸込口２３から吸い込まれた室内空気は、室内熱交換器２１を通過して室内ユニット２０下部の吹出口２４から吹き出される。
【００３３】
また、室内ユニット２０には、給気ホース１８の給気口２５が、室内熱交換器２１の上流側空間に設けられている。給気ホース１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内ユニット２０の吹出口２４から吹き出される調和空気の湿度を高くすることができる。
【００３４】
（３）室外ユニット３０の構成
（３−１）全体構成
図２は、天板４８が取り外された状態の室外ユニット３０の平面図である。また、図３は、図２の室外ユニット３０から防護用グリル５６が取り外された状態の当該室外ユニット３０の正面図である。
【００３５】
図１〜図３において、室外ユニット３０は、ケーシング４０、室外熱交換器３３、室外ファン３９、加湿ユニット６０を備えている。室外ファン３９が駆動されると、外気が室外熱交換器３３の後面側から吸い込まれ、室外熱交換器３３を通過し、吹出口４６ａ（図３参照）から吹き出される。通常、吹出口４６ａの前面は防護用グリル５６（図２参照）で覆われており、外部からプロペラ３９ｂに触れられないようになっている。
【００３６】
加湿ユニット６０の少なくとも一部は室外ユニット３０の送風機室４１に配置され、他は機械室４２に配置される。
【００３７】
（３−２）詳細構成
（３−２−１）ケーシング４０
ケーシング４０は、左側板４５、前板４６、右側板４７、天板４８（図３参照）、底板４９（図３参照）、及び背面部４４からなる筐体であり、内部を仕切部材４３によって送風機室４１と機械室４２とに分けられている。送風機室４１には、室外熱交換器３３及び室外ファン３９が配置されている。機械室４２には、圧縮機３１及び加湿ユニット６０の一部が配置されている。
【００３８】
仕切部材４３は、天板４８側から底板４９側に向って右側板４７と略並行に延びている。また、仕切部材４３は、前板４６内面側から室外熱交換器３３の右端向かって円弧状に延びている。その結果、仕切部材４３は送風機室４１から機械室４２に風が回り込まないように遮蔽する機能を有している。
【００３９】
また、図３に示すように、前板４６には、円形の吹出口４６ａが形成されている。吹出口４６ａには、その周縁に沿うようにリング状のベルマウス５２が取り付けられている。
【００４０】
（３−２−２）圧縮機３１
図１に示すように、圧縮機３１は、機械室４２側に位置しており、底板４９に固定されている。運転時、圧縮機３１は高温になるので、機械室４２は送風機室４１に比較して温度が高くなっている。
【００４１】
（３−２−３）電装品ユニット５０
図３に示すように、電装品ユニット５０は送風機室４１に位置しており、圧縮機３１および室外ファン３９などを駆動するための電子部品を集約した制御基板を搭載している。
【００４２】
（３−２−４）室外熱交換器３３
図２に示すように、室外熱交換器３３は、ケーシング４０の背面部４４と左側板４５とに対峙できるように、Ｌ字状に成形されている。また、室外熱交換器３３の高さは、天板４８と底板４９との距離にほぼ等しい寸法を有している。
【００４３】
（３−２−５）室外ファン３９
室外ファン３９は、ファンモータ３９ａによって駆動されるプロペラ３９ｂを有しており、室外熱交換器３３の下流側に設けられている。プロペラ３９ｂの一部は、このベルマウス５２で囲まれた空間内に入るように配置されている。
【００４４】
（３−２−６）防護用グリル５６
図２に示すように、防護用グリル５６は、ケーシング４０の前板４６に取り付けられ、吹出口４６ａを覆っている。防護用グリル５６には、外気を吹き出すため、複数の開口部が形成されている。
【００４５】
（３−２−７）仕切部材４３
仕切部材４３は、ケーシング４０内を送風機室４１と機械室４２とを仕切る。本実施形態では、加湿ユニット６０が機械室４２の上部に配置されるので、加湿ユニット６０が仕切部材４３上部の一部分を兼ねている。
【００４６】
（３−２−８）加湿ユニット６０
図２に示しように、加湿ユニット６０は、前板４６と背面部４４との間で、送風機室４１と機械室４２とに跨るように配置されている。加湿ユニット６０は、加湿ロータ６３、吸着用ダクト６８、ヒータ７１、加湿用ダクト７３、ファン７５（図１参照）、及び加湿用第２ダクト１８０を有している。
【００４７】
（４）加湿ユニット６０の詳細構成
（４−１）加湿ロータ６３
図３に示すように、加湿ロータ６３は、円板状で、前板４６の吸込開口４６ｂと対向するように配置されており、モータ駆動によって回転することができる。吸込開口４６ｂは中心角が約２４０°の扇形を成しており、扇の中心軸と加湿ロータ６３の回転中心軸は同軸上に位置している。加湿ロータ６３の全周囲は、壁によって包囲されている。
【００４８】
加湿ロータ６３は吸込開口４６ｂと対向する中心角２４０°分の扇形領域で水分を吸着するので、この領域を水分吸着領域６３ａという。また、加湿ロータ６３は、水分吸着領域６３ａに隣接し吸込開口４６ｂと対向しない中心角１２０°分の扇形領域で水分を放出するので、この領域を水分放出領域６３ｂという。つまり、加湿ロータ６３は、回転角度によって水分吸着領域６３ａであった部分が水分放出領域６３ｂとなり、水分放出領域６３ｂであった部分が水分吸着領域６３ａとなる。
【００４９】
図４は、加湿ロータ及び加湿ロータを通過する空気の流れを示す斜視図である。図４において、加湿ロータ６３は、周囲にギア６３ｔが設けられている。また、図３に示すように、ギア６３ｔはピニオンギア６４ａと噛み合っており、ピニオンギア６４ａがロータ駆動用モータ６４の動力によって回転することによって、ギア６４ｔと共に加湿ロータ６３全体が回転する。
【００５０】
また、水分吸着領域６３ａ及び水分放出領域６３ｂは、ゼオライト等の焼成によって形成されたハニカム構造である。ゼオライト等の吸着剤は、常温で空気から水分を吸着し、ヒータなどで加熱された空気に曝されて温度上昇したときに水分を放出する。
【００５１】
したがって、加湿ユニット６０では、加湿ロータ６３の水分放出領域６３ｂと前板４６との間に、水分放出領域６３ｂと対向するようにヒータ７１が配置されている。
【００５２】
（４−２）吸着用ダクト６８
図５は、ヒータ７１を取り外した状態の加湿ユニット６０の斜視図である。図５において、加湿ユニット６０は、水分吸着領域６３ａに外気を導くための吸着用ダクト６８が設けられている。吸着用ダクト６８は、前板４６の吸込開口６４ｂに向かって開口する空気流入口６８１を形成している。空気流入口６８１の形状は、吸込開口４６ｂと同じく中心角が約２４０°の扇形を成している。
【００５３】
水分を含む空気は、空気流入口６８１から吸い込まれた後、吸着用ダクト６８内を流れて加湿ロータ６３の水分吸着領域６３ａに到達し、そこを透過する際に水分が吸着され、空気流出口６８３（図３参照）から排出される。空気流出口６８３は、室外ファン３９が回転するときに負圧になる空間（つまり、ベルマウス５２の上流側端部）に隣接しており、空気流出口６８３側の気圧が空気流入口６８１側より低くなる作用によって、空気が空気流入口６８１から吸い込まれる。なお、水分吸着領域６３ａが水分放出領域６３ｂよりもベルマウス５２側に配置されている。
【００５４】
図３に示すように、吸込開口４６ｂは、前板４６の吹出口４６ａの右斜め上側に設けられており、吹出口４６ａと同様に前板４６の前方に向かって開口している。室外ファン３９によって前方へ押し出された空気は、ベルマウス５２に沿って進み、吹出口４６ａから勢いよく吹き出されるので、吹出口４６ａから吹き出された空気が吸込開口４６ｂから吸い込まれることはない。
【００５５】
上記のような構成を採る目的は、より水分を含んだ空気を取り込むためである。通常、加湿運転は、暖房運転時に行われるので、室外熱交換器３３を通過した空気は低温低湿になっている。このため、低温空気が吸い込まれた場合、加湿ロータ６３が吸着することができる水分量が低下する。しかしながら、吸込開口６４ｂ及び空気流入口６８１が室外熱交換器３３を通過した空気を吸い込まない構成にしておけば、より水分を含んだ外気を取り込むことができるので、加湿ロータ６３が吸着する水分量が低下することを防止することができる。
【００５６】
（４−３）ヒータ７１
ヒータ７１は、加湿ロータ６３の水分放出領域６３ｂから水分を放出させるために、水分放出領域６３ｂに送られる空気を加熱する。加熱された空気は、水分放出領域６３ｂを透過するときに加湿ロータ６３から水分を放出させて、高湿の空気となって加湿用ダクト７３に入る。
【００５７】
（４−４）加湿用ダクト７３
図１及び図５に示すように、加湿用ダクト７３は、空気をヒータ７１経由で水分放出領域６３ｂまで導き、さらに加湿ロータ６３を透過した空気をファン７５まで導く。加湿用ダクト７３に導かれる空気の流れは、ファン７５によって発生する。
【００５８】
加湿用ダクト７３に導かれる空気は、ヒータ７１に加熱されて高温空気になり、さらに、加湿ロータ６３を透過する際に水分放出領域６３ｂから水分を放出させ高温高湿空気となってファン７５に向う。
【００５９】
（４−５）ファン７５
ファン７５は、図１に示すように、加湿空気を所定の方向へ送り出す羽根車７５ａと、その羽根車７５ａを駆動するファンモータ７５ｂとを有している。ファン７５は、羽根車７５ａの回転軸が水平方向となる姿勢で配置され、羽根車７５ａの回転軸にファンモータ７５ｂの回転軸が直結されている。また、ファン７５は機械室４２に配置されている。
【００６０】
また、羽根車７５ａはファンケーシング８１に囲まれており、このファンケーシング８１と加湿用第２ダクト１８０の入口とが繋がっている。ファンモータ７５ｂは、外側をモータカバー８２で覆われている。
【００６１】
（４−６）加湿用第２ダクト１８０
加湿用第２ダクト１８０は、ファン７５から押し出される高温高湿空気を給気ホース１８（図１参照）の接続口まで導くダクトである。加湿用第２ダクト１８０のほぼ全体が機械室４２に位置しているが、給気ホース１８との接続口を含む所定部分だけは、右側板４７を挟んで機械室４２の反対側に位置する（図２参照）。
【００６２】
図５に示すように、加湿用第２ダクト１８０は、水平ダクト部１８１と鉛直ダクト部１８２とを有している。水平ダクト部１８１は高温高湿空気を水平に導くダクトであり、鉛直ダクト部１８２は水平ダクト部１８１に流入した高温高湿空気を下方に導くダクトである。水平ダクト部１８１は、機械室４２から右側板４７の後方端に向って延びている。
【００６３】
なお、鉛直ダクト部１８２は、水平ダクト部１８１との接続口から鉛直下方に延び、終端が、給気ホース１８と接続される。
【００６４】
（５）空調機１０の動作
（５−１）冷房運転
冷房運転時、四路切換弁３２は、圧縮機３１の吐出側と室外熱交換器３３のガス側とを接続し、且つ圧縮機３１の吸入側と室内熱交換器２１のガス側とを接続する（図１の実線で示される状態）。
【００６５】
また、液側閉鎖弁３７及びガス側閉鎖弁３８は開状態である。電動膨張弁３４の開度は、室内熱交換器２１の冷媒出口における冷媒の過熱度ＳＨが過熱度目標値で一定になるように調節される。
【００６６】
この冷媒回路の状態で、圧縮機３１、室外ファン３９および室内ファン２２を運転すると、低圧のガス冷媒は、圧縮機３１に吸入されて圧縮されて高圧のガス冷媒となる。その後、高圧のガス冷媒は、四路切換弁３２を経由して室外熱交換器３３に送られて、室外ファン３９によって供給される室外空気と熱交換を行って凝縮して高圧の液冷媒となる。そして、この高圧の液冷媒は、電動膨張弁３４で減圧された後、液側閉鎖弁３７および液冷媒連絡配管１４を経由して、室内ユニット２０に送られる。
【００６７】
この室内ユニット２０に送られた低圧の冷媒は、気液二相状態の冷媒となって室内熱交換器１５に入り、室内熱交換器１５において室内空気と熱交換を行って蒸発して低圧のガス冷媒となる。
【００６８】
この低圧のガス冷媒は、ガス冷媒連絡配管１６を経由して室外ユニット３０に送られ、ガス側閉鎖弁３８及び四路切換弁３２を経由して、アキュムレータ３６に流入する。そして、アキュムレータ３６に流入した低圧のガス冷媒は、再び、圧縮機３１に吸入される。
【００６９】
このように、空調機１０では、室外熱交換器３３を冷媒の凝縮器として、かつ、室内熱交換器２１を冷媒の蒸発器として機能させる冷房運転を行うことができる。
【００７０】
（５−２）暖房運転
暖房運転時、四路切換弁３２は、圧縮機３１の吐出側と室内熱交換器２１のガス側とを接続し、且つ圧縮機３１の吸入側と室外熱交換器３３のガス側とを接続する（図１の破線で示される状態）。
【００７１】
また、電動膨張弁３４の開度は、室外熱交換器３３に流入する冷媒を室外熱交換器３３において蒸発させることが可能な圧力まで減圧するように調節される。液側閉鎖弁３７及びガス側閉鎖弁３８は開状態である。
【００７２】
この冷媒回路の状態で、圧縮機３１、室外ファン３９および室内ファン２２を運転すると、低圧のガス冷媒は、圧縮機３１に吸入されて圧縮されて高圧のガス冷媒となり、四路切換弁３２、ガス側閉鎖弁３８およびガス冷媒連絡配管１６を経由して、室内ユニット２０に送られる。
【００７３】
室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。
【００７４】
液冷媒は、液側閉鎖弁３７を通過して、電動膨張弁３４に入る。液冷媒は、電動膨張弁３４で減圧された後に、室外熱交換器３３に流入する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【００７５】
（５−３）加湿運転
空調機１０では、加湿運転は暖房運転と組み合わせて行われる。図２、図３及び図５に示すように、吸着用ダクト６８の空気流入口６８１（図５参照）は前板４６の吸込開口６４ｂ（図３参照）に向かって開口し、空気流出口６８３（図２参照）は室外ファン３９が回転するときに負圧となるベルマウス５２の上流側端部に隣接している。室外ファン３９が稼動すると、空気流出口６８３側の気圧が空気流入口６８１側より低くなり、その作用によって「室外熱交換器３３を通っていない、水分を含んだ外気」が空気流入口６８１から吸い込まれる。
【００７６】
加湿ロータ６３は、空気流入口６８１と空気流出口６８３との間で且つ空気流出口６８３近傍に位置し、加湿運転時にはロータ駆動用モータ６４の動力によって所定の回転速度で回転している。加湿ロータ６３の回転によって、水分吸着領域６３ａで加湿ロータ６３に吸着された水分は加湿ロータ６３の回転に伴って水分放出領域６３ｂに運ばれ、ヒータ７１に対向する位置に来る。
【００７７】
また、ファン７５も駆動しているので、外気がヒータ７１周囲に回り込み、加熱される。加熱された空気は、加湿ロータ６３の水分放出領域６３ｂを通るので、その加熱された空気に曝された部分から水分が放出される。そして、水分を含んだ空気（以下、加湿空気という。）はファン７５に吸い込まれ、加湿用第２ダクト１８０を介して給気ホース１８へと吹き出される。加湿された空気は、給気ホース１８を経て室内ユニット２０へと導かれる。
【００７８】
（６）室外熱交換器３３への着霜有無の判定制御
図２に示すように、室外ファン３９が稼動すると、空気が室外ユニット３０の吸込口から室外熱交換器３３を通過して室外ファン３９の吸込側に向かう第１空気流路ＡＦ１が形成される。また、空気が吸込開口４６ｂから加湿ロータ６３を通過して室外ファン３９の吸込側に向かう第２空気流路ＡＦ２も形成される。
【００７９】
図６は、室外熱交換器３３への着霜の開始前後における「室外熱交換器３３への着霜量Ｖ」、「第１空気流路ＦＡ１の空気流量Ｑ１」、「第２空気流路ＦＡ２の空気流量Ｑ２」、「湿度センサ５５の検出値Ｈ」の変化を表したグラフであり、横軸は暖房運転開始後の経過時間ｔを示し、縦軸は下から順に、室外熱交換器３３への着霜量Ｖ、第１空気流路ＦＡ１の空気流量Ｑ１、第２空気流路ＦＡ２の空気流量Ｑ２、湿度センサ５５の検出値Ｈを示す。
【００８０】
図６において、暖房運転が開始されて一定時間が経過するころには、室外熱交換器３３の着霜が始まり、着霜量Ｖが増加し始める。
【００８１】
着霜量Ｖが増加し始ねると、空気の室外熱交換器３３を通過する際の通風抵抗が増加するので、第１空気流路ＡＦ１の空気流量Ｑ１が減少する。ケーシング４０内に取り込むべき空気量に変化がないので、第１空気流路ＡＦ１の空気流量Ｑ１の減少分だけ、第２空気流路ＡＦ２の空気流量Ｑ２が増加する。
【００８２】
第２空気流路ＡＦ２の空気流量Ｑ２の増加量に伴って、加湿ロータ６３の水分吸着領域６３ａに吸着される水分量も増加する。その結果、水分放出領域６３ｂで放出される水分量が増加し、加湿用第２ダクト１８０に流れる加湿空気の湿度が上昇する。
【００８３】
図２に示すように、加湿用第２ダクト１８０のうち加湿空気が水平ダクト部１８１から鉛直ダクト部１８２に入った直後のポイントに、湿度センサ５５が配置されているので、この湿度センサ５５の検出値Ｈが上昇し始める。したがって、湿度センサ５５の検出値Ｈが上昇し始めれば、室外熱交換器３３への着霜が開始したと推定することができる。
【００８４】
図７は、制御部５１による室外熱交換器３３への着霜有無の判定制御の流れを示すフローチャートである。図７において、制御部５１は、ステップＳ１からステップＳ６までの処理を順に実行する。なお、制御部５１は、電装品ユニット５０に内蔵されているものとする。
【００８５】
先ず制御部５１は、ステップＳ１において暖房運転指令の有無を判定する。例えば、ユーザーがリモコン（図示せず）の運転スイッチをオンしたとき、リモコンから運転開始信号が制御部５１に送られ、運転開始信号を受信した制御部５１は暖房運転指令が有ったと判定する。制御部５１は、暖房運転指令が有ったと判定したときステップＳ２へ進み、暖房運転指令がないと判定したときは引き続き判定を継続する。
【００８６】
次に制御部５１は、ステップＳ２において内蔵タイマーを稼動させ、暖房運転開始時点を起点として経過時間ｔの計時を開始し、ステップＳ３へ進む。
【００８７】
次に制御部５１は、ステップＳ３において湿度センサ５５の検出値Ｈが第１閾値Ｈ１以上であるか否かを判定する。制御部５１が、Ｈ≧Ｈ１であると判定したときはステップＳ４へ進み、Ｈ≧Ｈ１ではないと判定したときは引き続き判定を継続する。
【００８８】
次に制御部５１は、ステップＳ４において先のステップＳ３で「湿度センサ５５の検出値Ｈが第１閾値Ｈ１以上であると判定した時点までの経過時間ｔ１」が所定時間ｔａ以上であるか否かを判定する。制御部５１は、ｔ１≧ｔａであると判定したときはステップＳ５へ進み、ｔ１≧ｔａではないと判定したときはステップＳ３に戻る。
【００８９】
このステップＳ４では、検出値Ｈの過渡的変化も考えられるので、検出の信頼性を高めるため「暖房運転開始時点から湿度センサ５５が第１閾値Ｈ１を検出するまでの経過時間ｔ１」が、「室外熱交換器３３への着霜が開始されるであろうと予測される時間ｔａ」を超えている場合に、室外熱交換器３３への着霜が開始していると判定することとした。
【００９０】
次に制御部５１は、ステップＳ５において湿度センサ５５の検出値Ｈが最終閾値ＨＳ以上であるか否かを判定する。制御部５１が、Ｈ≧ＨＳであると判定したときはステップＳ６へ進み、Ｈ≧ＨＳではないと判定したときは引き続き判定を継続する。
【００９１】
次に制御部５１は、除霜運転を開始し、室外熱交換器３３への着霜有無の判定制御を終了する。
【００９２】
以上のように、本実施形態に係る空調機１０の室外ユニット３０では、加湿ユニット６０に設けられた湿度センサ５５の検出値から室外熱交換器３３への着霜の有無を検出することができ、不要な除霜運転を防止することができる。
【００９３】
（７）第１実施形態の変形例
上記実施形態では、検出値Ｈの過渡的変化による誤判定を防止するため、「暖房運転開始時点から湿度センサ５５が第１閾値Ｈ１を検出するまでの経過時間ｔ１」が、「室外熱交換器３３への着霜が開始されるであろうと予測されるい時間ｔａ」を超えている場合には、室外熱交換器３３への着霜が開始していると判定しているが、それに限定されるものではない。
【００９４】
図８は、変形例に関し、室外熱交換器３３への着霜の開始前後における「室外熱交換器３３への着霜量Ｖ」、「第１空気流路ＦＡ１の空気流量Ｑ１」、「第２空気流路ＦＡ２の空気流量Ｑ２」、「湿度センサ５５の検出値Ｈ」の変化を表したグラフであり、横軸ｔは暖房運転開始後の経過時間を示し、縦軸は下から順に、室外熱交換器３３への着霜量Ｖ、第１空気流路ＦＡ１の空気流量Ｑ１、第２空気流路ＦＡ２の空気流量Ｑ２、湿度センサ５５の検出値Ｈを示す。
【００９５】
図８において、湿度センサ５５が第１閾値Ｈ１を検出した時点までの経過時間ｔ１としたとき、そこからさらに時間Δｔ後の経過時間（ｔ１＋Δｔ）における湿度センサ５５の検出値Ｈ２が第１閾値Ｈ１以上であれば、室外熱交換器３３への着霜が開始していると判定することができる。
【００９６】
図９は、変形例における制御部５１による室外熱交換器３３への着霜有無の判定制御の流れを示すフローチャートである。図９において、ステップＳ１１で制御部５１は暖房運転指令の有無を判定する。制御部５１は、暖房運転指令が有ったと判定したときステップＳ１２へ進み、暖房運転指令がないと判定したときは引き続き判定を継続する。
【００９７】
次に制御部５１は、ステップＳ１２において内蔵タイマーを稼動させ、暖房運転開始時点を起点として経過時間ｔの計時を開始し、ステップＳ１３へ進む。
【００９８】
次に制御部５１は、ステップＳ１３において湿度センサ５５の検出値Ｈが第１閾値Ｈ１以上であるか否かを判定する。制御部５１が、Ｈ≧Ｈ１であると判定したときはステップＳ１４へ進み、Ｈ≧Ｈ１ではないと判定したときは引き続き判定を継続する。
【００９９】
次に制御部５１は、ステップＳ１４において先のステップＳ１３で「湿度センサ５５の検出値Ｈが第１閾値Ｈ１以上であると判定した時点までの経過時間」をｔ１として記憶する。
【０１００】
次に制御部５１は、ステップＳ１５において、経過時間ｔが「ｔ１＋Δｔ」を経過したか否かを判定する。制御部５１が、ｔ≧ｔ１＋Δｔであると判定したときはステップＳ１６へ進み、ｔ≧ｔ１＋Δｔではないと判定したときは引き続き判定を継続する。
【０１０１】
次に制御部５１は、ステップＳ１６において、経過時間ｔ１＋Δｔ後の湿度センサ５５の検出値Ｈ２が第１閾値Ｈ１以上であるか否かを判定する。制御部５１が、Ｈ２≧Ｈ１であると判定したときはステップＳ１７へ進み、Ｈ２≧Ｈ１ではないと判定したときはステップＳ１３へ戻る。
【０１０２】
このステップＳ１６では、検出値Ｈの過渡的変化も考えられるので、検出の信頼性を高めるため「暖房運転開始時点から湿度センサ５５が第１閾値Ｈ１を検出したときの経過時間ｔ１」からさらにΔｔ後の検出値Ｈ２が第１閾値Ｈ１以上であれる場合には、室外熱交換器３３への着霜が開始していると判定することとした。
【０１０３】
次に制御部５１は、ステップＳ１７において湿度センサ５５の検出値Ｈが最終閾値ＨＳ以上であるか否かを判定する。制御部５１が、Ｈ≧ＨＳであると判定したときはステップＳ１８へ進み、Ｈ≧ＨＳではないと判定したときは引き続き判定を継続する。
【０１０４】
次に制御部５１は、ステップＳ１８において除霜運転を開始し、室外熱交換器３３への着霜有無の判定制御を終了する。
【０１０５】
以上のように、本実施形態に係る空調機１０の室外ユニット３０では、加湿ユニット６０に設けられた湿度センサ５５の検出値Ｈから室外熱交換器３３への着霜の有無を検出することができ、不要な除霜運転を防止することができる。
【０１０６】
（８）第１実施形態の特徴
室外ユニット３０では、室外熱交換器３３への着霜が始まると空気の室外熱交換器３３を通過する際の通風抵抗が増加するので、第１空気流路ＦＡ１の空気流量が減少し、その減少分だけ第２空気流路ＦＡ２の空気流量が増加する。
【０１０７】
その結果、加湿ロータ６３を通過する空気流量が増加するので、加湿ロータ６３に吸着される水分量が増加し、その分だけ加湿ロータ６３から放出される水分量も増加する。そのため、湿度センサ５５が置かれた雰囲気に含まれる水分が増加する。したがって、湿度センサ５５の検出値Ｈの増大によって室外熱交換器３３への着霜の有無を検出することができ、その結果、不要な除霜運転を防止することができる。
【０１０８】
＜第２実施形態＞
第１実施形態では、図２に示す加湿用第２ダクト１８０のうち加湿空気が水平ダクト部１８１から鉛直ダクト部１８２に入った直後のポイントに湿度センサ５５を配置して、この湿度センサ５５の検出値Ｈの増加量に基づいて、室外熱交換器３３への着霜の有無判定、及び除霜運転の開始タイミングを判定した。
【０１０９】
しかし、必ずしも湿度センサ５５を用いる必要はなく、湿度センサ５５に替えて温度センサを用いてもよい。
【０１１０】
第２実施形態では、湿度センサ５５に替えて温度センサ５７が配置され（図３参照）、温度センサ５７の検出値Ｔに基づいて室外熱交換器３３への着霜有無の判定制御を行う以外は、第１実施形態と全く同じである。
【０１１１】
ここでは、温度センサ５７の検出値Ｔに基づいて室外熱交換器３３への着霜有無の判定制御についてのみ説明する。
【０１１２】
（１）室外熱交換器３３への着霜有無の判定制御
図１０は、第２実施形態に関し、室外熱交換器３３への着霜の開始前後のおける「室外熱交換器３３への着霜量Ｖ」、「第１空気流路ＦＡ１の空気流量Ｑ１」、「第２空気流路ＦＡ２の空気流量Ｑ２」、「温度センサ５７の検出値Ｔ」の変化を表したグラフであり、横軸は暖房運転開始後の経過時間ｔを示し、縦軸は下から順に、室外熱交換器３３への着霜量Ｖ、第１空気流路ＦＡ１の空気流量Ｑ１、第２空気流路ＦＡ２の空気流量Ｑ２、温度センサ５７の検出値Ｔを示す。
【０１１３】
図１０において、暖房運転が開始されて一定時間が経過するころには、室外熱交換器３３の着霜が始まり、着霜量Ｖが増加し始める。
【０１１４】
着霜量Ｖが増加し始めると、空気の室外熱交換器３３を通過する際の通風抵抗が増加するので、第１空気流路ＡＦ１の空気流量Ｑ１が減少する。ケーシング４０内に取り込むべき空気量に変化がないので、第１空気流路ＡＦ１の空気流量Ｑ１の減少分だけ、第２空気流路ＡＦ２の空気流量Ｑ２が増加する。
【０１１５】
第２空気流路ＡＦ２の空気流量Ｑ２の増加量に伴って、加湿ロータ６３の水分吸着領域６３ａに吸着される水分量も増加する。その結果、水分放出領域６３ｂで放出される水分量が増加する。
【０１１６】
図２に示すように、加湿用第２ダクト１８０のうち加湿空気が水平ダクト部１８１から鉛直ダクト部１８２に入った直後のポイントに、温度センサ５７が配置されており、この温度センサ５７の検出値Ｔが降下し始める。
【０１１７】
ヒータ７１の熱量は、水分の潜熱分と水分を含んだ空気の顕熱上昇分に費やされる。加湿ロータ６３に吸着された水分量が多いほどヒータ７１の熱量が水分の潜熱に費やされ、水分を含んだ空気の顕熱上昇に費やされる熱量が減る。そのため、温度センサ５７の検出値Ｔは、水分吸着量が増加する前と比べて低くなる。
【０１１８】
したがって、温度センサ５７の検出値Ｔが降下し始めれば、室外熱交換器３３への着霜が開始したと判定することができる。
【０１１９】
図１１は、第２実施形態に関し、制御部５１による室外熱交換器３３への着霜有無の判定制御の流れを示すフローチャートである。図１１において、ステップＳ２１で制御部５１は暖房運転指令の有無を判定する。制御部５１は、暖房運転指令が有ったと判定したときステップＳ２２へ進み、暖房運転指令がないと判定したときは引き続き判定を継続する。
【０１２０】
次に制御部５１は、ステップＳ２２において内蔵タイマーを稼動させ、暖房運転開始時点を起点として経過時間ｔを計時の開始し、ステップＳ２３へ進む。
【０１２１】
次に制御部５１は、ステップＳ２３において温度センサ５７の検出値Ｔが第１閾値Ｔ１以下であるか否かを判定する。制御部５１が、Ｔ≦Ｔ１であると判定したときはステップＳ２４へ進み、Ｔ≦Ｔ１ではないと判定したときは引き続き判定を継続する。
【０１２２】
次に制御部５１は、ステップＳ２４において先のステップＳ２３で「温度センサ５７の検出値Ｔが第１閾値Ｔ１以下であると判定した時点までの経過時間ｔ１」が所定時間ｔａ以上であるか否かを判定する。制御部５１は、ｔ１≧ｔａであると判定したときはステップＳ２５へ進み、ｔ１≧ｔａではないと判定したときはステップＳ２３に戻る。
【０１２３】
このステップＳ２４では、検出値Ｔの過渡的変化も考えられるので、検出の信頼性を高めるため「暖房運転開始時点から温度センサ５７が第１閾値Ｔ１を検出するまでの経過時間ｔ１」が、「室外熱交換器３３への着霜が開始されるであろうと予測される時間ｔａ」を超えている場合に、室外熱交換器３３への着霜が開始していると判定することとした。
【０１２４】
次に制御部５１は、ステップＳ２５において温度センサ５７の検出値Ｔが最終閾値ＴＳ以下であるか否かを判定する。制御部５１が、Ｔ≦ＴＳであると判定したときはステップＳ２６へ進み、Ｔ≦ＴＳではないと判定したときは引き続き判定を継続する。
【０１２５】
次に制御部５１は、ステップＳ２６において除霜運転を開始し、室外熱交換器３３への着霜有無の判定制御を終了する。
【０１２６】
以上のように、第２実施形態に係る空調機１０の室外ユニット３０では、加湿ユニット６０に設けられた温度センサ５７の検出値から室外熱交換器３３への着霜の有無を検出することができ、不要な除霜運転を防止することができる。
【０１２７】
（２）第２実施形態の変形例
上記第２実施形態では、検出値Ｔの過渡的変化による誤判定を防止するため、「暖房運転開始時点から温度センサ５７が第１閾値Ｔ１を検出するまでの経過時間ｔ１」が、「室外熱交換器３３への着霜が開始されるであろうと予測される時間ｔａ」を超えている場合には、室外熱交換器３３への着霜が開始していると判定しているが、それに限定されるものではない。
【０１２８】
図１２は、第２実施形態の変形例に関し、室外熱交換器３３への着霜の開始前後における「室外熱交換器３３への着霜量Ｖ」、「第１空気流路ＦＡ１の空気流量Ｑ１」、「第２空気流路ＦＡ２の空気流量Ｑ２」、「温度センサ５７の検出値Ｔ」の変化を表したグラフであり、横軸は暖房運転開始後の経過時間ｔを示し、縦軸は下から順に、室外熱交換器３３への着霜量Ｖ、第１空気流路ＦＡ１の空気流量Ｑ１、第２空気流路ＦＡ２の空気流量Ｑ２、温度センサ５７の検出値Ｔを示す。
【０１２９】
図１２において、温度センサ５７が第１閾値Ｔ１を検出した時点までの経過時間ｔ１としたとき、そこからさらに時間Δｔ後の経過時間（ｔ１＋Δｔ）における温度センサ５７の検出値Ｔ２が第１閾値Ｔ１以下であれば、室外熱交換器３３への着霜が開始していると判定することができる。
【０１３０】
図１３は、第２実施形態の変形例における制御部５１による室外熱交換器３３への着霜有無の判定制御の流れを示すフローチャートである。図１３において、ステップＳ３１で制御部５１は暖房運転指令の有無を判定する。制御部５１は、暖房運転指令が有ったと判定したときステップＳ３２へ進み、暖房運転指令がないと判定したときは引き続き判定を継続する。
【０１３１】
次に制御部５１は、ステップＳ３２において内蔵タイマーを稼動させ、暖房運転開始時点を起点として経過時間ｔの計時を開始し、ステップＳ３３へ進む。
【０１３２】
次に制御部５１は、ステップＳ３３において温度センサ５７の検出値Ｔが第１閾値Ｔ１以下であるか否かを判定する。制御部５１が、Ｔ≦Ｔ１であると判定したときはステップＳ３４へ進み、Ｔ≦Ｔ１ではないと判定したときは引き続き判定を継続する。
【０１３３】
次に制御部５１は、ステップＳ３４において先のステップＳ３３で「温度センサ５７の検出値Ｔが第１閾値Ｔ１以下であると判定した時点までの経過時間」をｔ１として記憶する。
【０１３４】
次に制御部５１は、ステップＳ３５において、経過時間ｔが「ｔ１＋Δｔ」を経過したか否かを判定する。制御部５１が、ｔ≧ｔ１＋Δｔであると判定したときはステップＳ３６へ進み、ｔ≧ｔ１＋Δｔではないと判定したときは引き続き判定を継続する。
【０１３５】
次に制御部５１は、ステップＳ３６において、経過時間ｔ１＋Δｔ後の温度センサ５７の検出値Ｔ２が第１閾値Ｔ１以下であるか否かを判定する。制御部５１が、Ｔ２≦Ｔ１であると判定したときはステップＳ３７へ進み、Ｔ２≦Ｔ１ではないと判定したときはステップＳ３３へ戻る。
【０１３６】
このステップＳ３６では、検出値Ｔの過渡的変化も考えられるので、検出の信頼性を高めるため暖房運転開始時点から温度センサ５７が第１閾値Ｔ１を検出したときの経過時間ｔ１からさらにΔｔ後の検出値Ｔ２が第１閾値Ｔ１以下であれる場合には、室外熱交換器３３への着霜が開始していると判定することとした。
【０１３７】
次に制御部５１は、ステップＳ３７において温度センサ５７の検出値Ｔが最終閾値ＴＳ以上であるか否かを判定する。制御部５１が、Ｔ≦ＴＳであると判定したときはステップＳ３８へ進み、Ｔ≦ＴＳではないと判定したときは引き続き判定を継続する。
【０１３８】
次に制御部５１は、ステップＳ３８において除霜運転を開始し、室外熱交換器３３への着霜有無の判定制御を終了する。
【０１３９】
以上のように、本実施形態に係る空調機１０の室外ユニット３０では、加湿ユニット６０に設けられた温度センサ５７の検出値Ｔから室外熱交換器３３への着霜の有無を検出することができ、不要な除霜運転を防止することができる。
【０１４０】
（３）第２実施形態の特徴
室外ユニット３０では、室外熱交換器３３への着霜が始まると、加湿ロータ６３を通過する空気流量が増加するので、その分だけ加湿ロータ６３に吸着される水分量も増加する。水分を吸着した加湿ロータ６３はヒータ７１によって加熱されることによって水分を放出する。ヒータ７１の熱量は吸着した水分の潜熱分と水分を含んだ空気の顕熱上昇分に費やされる。加湿ロータ６３に吸着された水分量が多いほどヒータ７１の熱量が水分の潜熱に費やされ、水分を含んだ空気の顕熱上昇に費やされる熱量が減る。そのため、温度センサ５７の検出値Ｔは、水分吸着量が増加する前と比べて低くなる。
【０１４１】
したがって、温度センサ５７の検出値Ｔの低下によって室外熱交換器３３への着霜の有無を検出することができ、その結果、不要な除霜運転を防止することができる。
【０１４２】
＜その他の実施形態＞
第１実施形態及び第２実施形態ともに、加湿ユニット６０の加湿ロータ６３を通過する空気流量の増加量に基づいて室外熱交換器３３への着霜の有無を判定しているが、他の空間を通過する空気流量の増加量に基づいて室外熱交換器３３への着霜の有無を判定することができる。
【０１４３】
例えば、第１実施形態では電装品ユニット５０は送風機室４１に配置されているが、この電装品ユニット５０を機械室４２に配置することもできる。
【０１４４】
この場合、室外ユニット３０では、ケーシング４０内に流入する空気の一部は室外熱交換器３３を通過せずに電装品ユニット５０内を通り、発熱する電装品と熱交換して温度上昇する。
【０１４５】
室外熱交換器３３への着霜が始まると、電装品ユニット５０内を通る空気流量が増加するので、発熱する電装品と熱交換しても、その空気の温度上昇幅は空気流量が増加する前と比べて小さい。つまり、その空気流路に温度センサを配置すれば、その検出値は室外熱交換器３３への着霜が始まる前と比べて低くなる。
【０１４６】
したがって、温度センサの検出値の低下によって室外熱交換器３３への着霜の有無を検出することができ、その結果、不要な除霜運転を防止することができる。
【産業上の利用可能性】
【０１４７】
以上のように、本願発明によれば、加湿ユニットを備えた空調機の室外ユニットに限らず、仕切部材によって空間を２分割されたケーシング内にそれら２つの空間を跨ぐように他のユニットが配置される機器にも有用である。
【符号の説明】
【０１４８】
１０      空調機
３０      室外ユニット
３３      室外熱交換器
３９      室外ファン
４０      ケーシング（本体ケーシング）
５１      制御部
５５      湿度センサ（検出手段）
５７      温度センサ（検出手段）
６０      加湿ユニット
６３      加湿ロータ（吸着部材）
７１      ヒータ
【先行技術文献】
【特許文献】
【０１４９】
【特許文献１】特開２０１３−１３０３４１号公報
【図１】
2016118311.tif 000003
【図２】
2016118311.tif 000004
【図３】
2016118311.tif 000005
【図４】
2016118311.tif 000006
【図５】
2016118311.tif 000007
【図６】
2016118311.tif 000008
【図７】
2016118311.tif 000009
【図８】
2016118311.tif 000010
【図９】
2016118311.tif 000011
【図１０】
2016118311.tif 000012
【図１１】
2016118311.tif 000013
【図１２】
2016118311.tif 000014
【図１３】
2016118311.tif 000015